(57)【要約】【課題】情報を受ける側、提供する側双方が有効に時間を活用し、より最適な情報の受け渡しが行えるようにする。【解決手段】情報を取り込む際、表示部は現在のページＰｉの表示を開始する。現在のページＰｉを表示中にユーザがジョブ中断を要求したら、現在のページＰｉの表示を終了し、ジョブが再開を要求されるまで表示をしない。ジョブ再開が要求される前にジョブ終了が要求されたら、画像形成装置の使用を終了する。ジョブ再開が要求されたら、中断直前に表示していた現在のページＰｉを再び表示する。ジョブの中断もジョブの終了もなく現在のページＰｉを一定時間表示している間にユーザがジョブ中断を要求しなかったら、現在のページＰｉの表示を終了し、現在のページＰｉが最終ページＰｅより大きくなかったら、現在のページＰｉを表示し、同様の処理を繰り返す。【選択図】  図１０
2005136939.tif 000002
【特許請求の範囲】
【請求項１】
使用中にジョブ内容および／またはジョブ状況とは無関係な任意の情報を表示可能な表示部を有する画像形成装置において、
情報表示中にジョブが中断されたとき、ジョブ再開後に再び同じ情報を中断されたときの情報の続きから表示させる制御手段を備えていることを特徴とする画像形成装置。
【請求項２】
使用中にジョブ内容および／またはジョブ状況とは無関係な任意の情報を表示可能な表示部を有する画像形成装置において、
情報表示中にジョブが中止されたとき、次のジョブ開始後に同じ情報を最初から再び表示させる制御手段を備えていることを特徴とする画像形成装置。
【請求項３】
使用中にジョブ内容および／またはジョブ状況とは無関係な任意の情報を表示可能な表示部と、
ユーザの指示により前記表示部に表示された情報を取り出す情報取り出し手段と、を有する画像形成装置において、  前記情報を取り出す際に課金する課金手段を有することを特徴とする画像形成装置。
【請求項４】
前記課金手段は、前記画像形成装置使用中においては情報の取り出しは無料とすることを特徴とする請求項３記載の画像形成装置。
【請求項５】
前記課金手段は、情報を一度取り出した後は、同じ情報の取り出しは有料とすることを特徴とする請求項３記載の画像形成装置。
【請求項６】
使用中にジョブ内容および／またはジョブ状況とは無関係な任意の情報を表示可能な表示部と、
ユーザの指示により前記表示部に表示された情報を取り出す情報取り出し手段と、を有する画像形成装置において、
情報を一度取り出した後は、任意の手段で同じ情報を再び取り込んだ場合に限り、その情報を前記表示部へ表示させる制御手段を備えていることを特徴とする画像形成装置。
【請求項７】
使用中にジョブ内容および／またはジョブ状況とは無関係な任意の情報を表示可能な表示部と、
ユーザの指示により前記表示部に表示された情報を取り出す情報取り出し手段と、を有する画像形成装置において、
前記情報に応じて取り出すことができるものとできないものとが設定されていることを特徴とする画像形成装置。
【請求項８】
所望の情報を取り込む工程と、
取り込んでいる情報の現在のページを表示手段に表示する工程と、
現在のページを表示中にユーザがジョブ中断を要求したときには、現在のページの表示を終了する工程と、
ジョブ再開が要求されたとき、中断直前に表示していた現在のページを再び表示する工程と、を含んでいることを特徴とする画像形成装置における表示方法。
【請求項９】
所望の情報を取り込む工程と、
取り込んでいる情報の現在のページを表示手段に表示する工程と、
現在のページを表示中にユーザがジョブ中止を要求したら、現在の表示を終了する工程と、
ジョブ開始が要求されたら、再び最初のページから表示を開始する工程と、を含んでいることを特徴とする画像形成装置における表示方法。
【請求項１０】
情報が表示されており、その情報を取り出す場合、表示部に課金額を表示する工程と、
ユーザが課金額を支払った場合に、任意の手段で情報を取り出す工程と、
ユーザが課金額を支払わなかった場合に、ユーザが情報の取り出しに対しキャンセルを要求しなければ課金額を表示し続け、キャンセルを要求すれば、情報を取り出させること
なくこの処理を終了する工程と、を含んでいることを特徴とする画像形成装置における表示方法。
【請求項１１】
請求項１ないし７のいずれか１項に記載の画像形成装置の各手段の機能をコンピュータによって実行する手順を備えていることを特徴とするコンピュータプログラム。
【請求項１２】
請求項８ないし１０のいずれか１項に記載の画像形成装置の表示方法の各工程の機能をコンピュータによって実行する手順を備えていることを特徴とするコンピュータプログラム。
【請求項１３】
請求項１１または１２記載のコンピュータプログラムがコンピュータによって読み取られ、実行可能に記録されていることを特徴とする記録媒体。
【発明の詳細な説明】
【技術分野】
【０００１】
本発明は表示装置を有する画像形成装置、この画像形成装置の表示装置における表示方法、前記画像形成装置の各機能あるいは表示方法の各工程をコンピュータで実現するため
のコンピュータプログラム及びこのコンピュータプログラムを記録した記録媒体に関する。
【背景技術】
【０００２】
近年、デジタル複写機は機能の向上が図られており、また機能同士の組合わせによって益々機能が多様化・複合化している。このような複合化は、例えば複写機能と、ファクシ
ミリ機能、プリンタフォーマッタ機能、画像電子ファイル機能、イメージメモリ機能などのうち、３つの機能を１つのユニットとして構成されており、さらに高付加価値化へと機
能処理の充実化が図られている。同時に、機能の高速化も図られており、処理時間の短縮が図られている。
【発明の開示】
【発明が解決しようとする課題】
【０００３】
前述のように高付加価値化、機能処理の充実化が図られ、同時に、機能の高速化、処理時間の短縮が図られたとしても、ユーザが処理時間中に複写機の前で待つことは多々あり、ユーザにとってその待ち時間は無駄な時間になってしまう。そこで複写機の表示部に、処理内容や処理状況とは無関係な、任意の情報を表示することで、ユーザは情報収集に、情報提供者側は宣伝・広告に、待ち時間を有効的に利用する発明がなされている。しかしながら、処理時間中に表示するだけでは十分に情報を収集することや、情報を提供することは難しい。
【０００４】
この発明は、このような従来技術の実情に鑑みてなされたもので、その目的は、情報を受ける側、提供する側双方が有効に時間を活用し、より最適な情報の受け渡しが行えるよ
うにすることにある。
【課題を解決するための手段】
【０００５】
前記目的を達成するため、第１の手段は、使用中にジョブ内容および／またはジョブ状況とは無関係な任意の情報を表示可能な表示部を有する画像形成装置において、情報表示
中にジョブが中断されたとき、ジョブ再開後に再び同じ情報を中断されたときの情報の続きから表示させる制御手段を備えていることを特徴とする。
【０００６】
第２の手段は、第１の手段と同様の前提の画像形成装置において、情報表示中にジョブが中止されたとき、次のジョブ開始後に同じ情報を最初から再び表示させる制御手段を備
えていることを特徴とする。
【０００７】
第３の手段は、使用中にジョブ内容および／またはジョブ状況とは無関係な任意の情報を表示可能な表示部と、ユーザの指示により前記表示部に表示された情報を取り出す情報
取り出し手段とを有する画像形成装置において、前記情報を取り出す際に課金する課金手段を有することを特徴とする。
【０００８】
第４の手段は、第３の手段において、前記課金手段は、前記画像形成装置使用中においては情報の取り出しは無料とすることを特徴とする。
【０００９】
第５の手段は、第３の手段において、前記課金手段は、情報を一度取り出した後は、同じ情報の取り出しは有料とすることを特徴とする。
【００１０】
第６の手段は、第３の手段と同様の前提の画像形成装置において、情報を一度取り出した後は、任意の手段で同じ情報を再び取り込んだ場合に限り、その情報を前記表示部へ表示させる制御手段を備えていることを特徴とする。
【００１１】
第７の手段は、第３の手段と同様の前提の画像形成装置において、前記情報に応じて取り出すことができるものとできないものとが設定されていることを特徴とする。
【００１２】
第８の手段は、所望の情報を取り込む工程と、取り込んでいる情報の現在のページを表示手段に表示する工程と、現在のページを表示中にユーザがジョブ中断を要求したときに
は、現在のページの表示を終了する工程と、ジョブ再開が要求されたとき、中断直前に表示していた現在のページを再び表示する工程とを含んでいることを特徴とする。
【００１３】
第９の手段は、所望の情報を取り込む工程と、取り込んでいる情報の現在のページを表示手段に表示する工程と、現在のページを表示中にユーザがジョブ中止を要求したら、現
在の表示を終了する工程と、ジョブ開始が要求されたら、再び最初のページから表示を開始する工程とを含んでいることを特徴とする。
【００１４】
第１０の手段は、情報が表示されており、その情報を取り出す場合、表示部に課金額を表示する工程と、ユーザが課金額を支払った場合に、任意の手段で情報を取り出す工程と
、ユーザが課金額を支払わなかった場合に、ユーザが情報の取り出しに対しキャンセルを要求しなければ課金額を表示し続け、キャンセルを要求すれば、情報を取り出させること
なくこの処理を終了する工程とを含んでいることを特徴とする。
【００１５】
第１１の手段は、第１ないし第７の手段に係る画像形成装置の各手段の機能をコンピュータによって実行する手順をコンピュータプログラムが備えていることを特徴とする。
【００１６】
第１２の手段は、第８ないし第１０の手段に係る画像形成装置の表示方法の各工程の機能をコンピュータによって実行する手順をコンピュータプログラムが備えていることを特
徴とする。
【００１７】
第１３の手段は、第８または第１２の手段に係るコンピュータプログラムがコンピュータによって読み取られ、実行可能に記録媒体に記録されていることを特徴とする。
【発明の効果】
【００１８】
本発明によれば、情報を受ける側、提供する側双方が有効に時間を活用し、より最適な情報の受け渡しが可能となる。
【発明を実施するための最良の形態】
【００１９】
以下、図面を参照し、発明を実施するための最良の形態について説明する。
【００２０】
＜制御部＞
図１は、本発明の実施例に係る画像形成装置の制御部を示すブロック図である。同図において、制御部は、ＣＰＵ１０１、画像メモリ１０２、フラッシュメモリ１０３、フォン
トＲＯＭ１０４、ＨＤＤコントローラ１０５、ＨＤＤ（ハードディスク）１０６、表示用メモリ１０７、グラフィックコントローラ１０８、キースキャン回路１０９から基本的に
構成されている。また、この制御部にはスキャナ部１１４、プリンタ部１１６、操作部１１０、外部課金装置１２１が接続され、さらに、ＣＰＵバス１２０には、赤外線通信回路
１１７、ネットワークＩ／Ｆ回路１１８、モデム回路１１９、スキャナ制御Ｉ／Ｏ回路１１３、プリンタ制御Ｉ／Ｏ回路１１５及びＵＡＲＴ１２２が接続されている。
【００２１】
ＣＰＵ１０１はこの装置を集中的に制御する。画像メモリ１０２はスキャナ部１１４で読み取った画像を蓄積したり、プリンタ部１１６へ送出するためのデータを描画する領域
として使用される。フラッシュＲＯＭ１０３にはＣＰＵ１０１が動作するためのプログラムが格納されている。フォントＲＯＭ１０４で、印刷するための文字や表示部１１１で表
示するための文字のフォントデータが格納される。ハードディスクコントローラ１０５は、このデバイスにデータを書き込んだり、読み出したりすることにより、ハードディスク
１０６へのデータの書き込み／読み出しや停止等の制御を司る。表示用メモリ１０７は、このメモリ上に描画されたデータが、表示部１１１に表示される。グラフィックコントロ
ーラ１０８は、表示用メモリ１０７への高速な描画処理や、表示用メモリ１０７からデータを読み出して表示部１１１へ送出する等の制御を行う。キー・スキャン回路１０９は、
操作部１１０上に配置されたキー１１２の状態を読み出し、その状態を格納する。
【００２２】
スキャナ制御Ｉ／Ｏ回路１１３は、スキャナ部１１４を制御し、原稿の読み取り動作を行う。プリンタ制御Ｉ／Ｏ回路１１５は、プリンタ部１１６を制御し、印刷動作を行う。
【００２３】
赤外線通信回路１１７は、画像形成装置外部の機器との赤外線通信を行う。ネットワークＩ／Ｆ回路１１８は、ネットワーク上に接続された画像形成装置外部の機器との通信を行
う。モデム回路１１９は、公衆回線に接続し、画像形成装置外部の機器との通信を行う。
【００２４】
ＣＰＵバス１２０は、このバスを通じて各回路、デバイスをアクセスする。なお、ＣＰＵ１０１はこれらの各回路１１３，１１５，１１７，１１８，１１９を使用して前記各動作
を実行する。
【００２５】
外部課金装置１２１は、例えばコインラックのようなもので構成され、ＣＰＵ１０１は外部課金装置１２１内に搭載された図示しないＣＰＵとＵＡＲＴ１２２を介して通信する
ことにより、外部課金装置１２１に投入された金額情報を得、また外部課金装置１２１上の図示しない表示部に表示する残金額の通知を行ったりする。
【００２６】
＜スキャナ部＞
図２は、画像形成装置の一部を構成するスキャナ部１１４の概略構成を示す図である。
【００２７】
同図において、スキャナ部１１４は圧板１，コンタクトガラス２、露光ランプ３、第１ないし第３ミラー４，５，６、レンズ７、ＣＣＤ８、前記第１ミラー４及び露光ランプ３を搭載して副走査方向に移動する走行体１２、走行体１２を移動させるモータ１４及びスキャナ画像処理部１３から基本的に構成されている。
【００２８】
圧板１は、コンタクトガラス２上に載置された原稿を押さえたり、原稿が無い場合はコンタクトガラス２を保護する機能を有する。露光ランプ３から照射された光は、コンタク
トガラス２上に載置された原稿の表面で反射され、第１ないし第３の３枚のミラー４、５、６によって反射され、レンズ７で集光された光がＣＣＤ８上で結像される。ＣＣＤ８では、結像された光をアナログ電気信号に変換し、スキャナ画像処理部１３へ送出する。
【００２９】
走行体１２には、露光ランプ３及び第１ミラー４が搭載される。走行体１２は、ワイヤ１１を介してモータ１４の回転により、図中の矢印方向に移動し、原稿面に対して副走査
が行われる。原稿サイズセンサ１０は、コンタクトガラス２上に載置された原稿のサイズを検出する回路を内蔵する。
【００３０】
図３は、図２におけるスキャナ画像処理部１３の内部構成を示すブロック図である。  
図２におけるＣＣＤ８から出力されたアナログ信号は、アンプ回路２０２で増幅され、ＡＤ変換回路２０３で例えば８ｂｉｔのデジタル信号に変換される。
【００３１】
デジタル化された画像信号は、シェーディング補正回路２０４、ＭＴＦ補正／平滑フィルタ回路２０５、主走査変倍回路２０６、γ／階調処理回路２０７の各回路でデジタル信号
処理が施され、画像メモリ部へ送出される。シェーディング補正回路２０４からγ／階調処理回路２０７の各回路は、図１に示したＣＰＵ１０１とＣＰＵバス１２０を介して接続
され、画像の読み取り条件に適した信号処理が行われるようなパラメータが、ＣＰＵ１０１から各回路に設定される。
【００３２】
＜プリンタ部＞
図４は、画像形成装置の一部を構成するプリンタ部１１６の概略構成を示す図である。
【００３３】
同図において、装置の下部には給紙トレイ４１０が配置され、ここに収められた用紙４１１は、給紙コロ４１２によって１枚ずつピックアップされ、装置内部を搬送される。前記画像メモリ１０２から出力された画像データは、ＬＤユニット４０３によってＬＤ光として発光され、ポリゴンモータ４０４により駆動されるポリゴンミラーで反射され、レンズ４１３を通して、帯電ユニット４０２にて表面が帯電された感光体ドラム４０１上に照射され、静電潜像が感光体ドラム４０１上に形成される。静電潜像は、現像装置４０５によってトナー現像（トナーの付着）が行われ、トナー像として顕像化され、顕像化されたトナー像が転写ベルト４０６と感光体ドラム４０１にニップに搬送されてきた用紙に転写される。用紙に転写されたトナーは、定着ユニット４０８で熱と圧力により用紙に融着され、定着される。こうして画像が転写され、定着された用紙は、排紙ローラー４０９を介して機外へ排出される。
【００３４】
＜操作部＞
図５は操作部１１０の詳細を示す図である。操作部１１０の中央部には表示部１１１が設けられ、文字列やビットマップが表示される。キー１１２は、テンキー５０３、表示情報取り込み指定キー５０４、スタートキー５０５、アプリケーション切り替えキー５０６、１０６キーボード５０７、リセットキー５０８、クリアストップキー５０９から構成されている。このうちテンキー５０３は、コピーの印刷部数の入力等の操作に用いられ、表示情報取り込み指定キー５０４は、表示部１１１に表示する装置の操作とは関連しないユーザ任意の情報を取り込む設定の操作に用いられる。スタートキー５０５は、コピーや原稿読み取りの開始を指示する操作に用いられ、アプリケーション切り替えキー５０６は、コピー機能／プリンタ機能／スキャナ機能／ＦＡＸ機能等の機能を切り替える操作に用いられる。１０６キーボード５０７は、任意の文字列を入力する操作に用いられる。リセットキー５０８は、コピーモードのリセット時に使用され、クリアストップキー５０９は、コピー作業の中断やコピー枚数のリセット時に使用される。なお、本実施例では、キーボードをハードキーで構成しているが、これらのキーは液晶タッチパネル上に表示されるソフトキーボードで代用することも可能である。
【００３５】
＜任意情報の取り込みと表示＞
ユーザが指定する任意の情報を取り込み、表示部に表示する場合には、ユーザは、表示情報取り込みキー５０４で取り込みを要求する。次に、表示部１１１に表示したい文字列を、図５中のキーボード５０７から入力する。入力された情報は、キー１１２からキースキャン回路１０９を経てＣＰＵ１０１に読み込まれる（図１参照）。ＣＰＵ１０１は、入力された文字列の表示フォントをフォントＲＯＭ１０４から読み出し、表示用メモリ１０７に書き込む。表示用メモリ１０７に書き込まれたデータは、グラフィックコントローラ１０８を介して表示部１１１に送られ、図５中の表示部１１１に表示される。表示部１１１に、任意の文字列の表示がされた例を図６に示す。
【００３６】
また、ユーザ指定の任意の情報が文字列でなく、画像イメージである場合には、ユーザは、表示情報取り込みキー５０４で取り込みを要求する。次に、表示部１１１に表示したい画像イメージが描かれた原稿を、図２中のコンタクトガラス２上に載置し、図５中のアプリ切り替えキー５０６でスキャナを選択し、スタートキー５０５を押下することにより、図１のＣＰＵ１０１に対して画像の読み取り開始指示を与える。ＣＰＵ１０１は、スキャナ制御Ｉ／Ｏ回路１１３を操作してスキャナ部１１４を制御し、原稿の画像を読み取る。読み取られた画像データは、画像メモリ１０２に蓄積される。ＣＰＵ１０１は、画像メモリ１０２に蓄積された画像データをＣＰＵバス１２０を介して読み出し、表示用メモリ１０７に書き込む。表示用メモリ１０７に書き込まれたデータは、グラフィックコントローラ１０８を介して表示部１１１に送られ、図５中の表示部１１１に表示される。表示部１１１に、任意の画像イメージがされた例を図７に示す。
【００３７】
また、ユーザ指定の任意の情報が管理用コンピュータが保存していたものである場合には、ユーザは、表示情報取り込みキー５０４で取り込みを要求する。
【００３８】
次に、図１のネットワークＩ／Ｆ回路１１８に接続されている管理用コンピュータに対して任意の情報を要求してそのデータを取得する。この場合、ネットワークＩ／Ｆ回路１１８に接続された管理用コンピュータとは双方向データ通信システムが構成されていることが前提である。このように、画像形成装置側から管理用コンピュータに対して任意の情報を要求すると、ネットワークＩ／Ｆ１１８を介して外部からデータが送信され、画像メモリ１０２に蓄積される。ネットワークを介して外部の情報データを取得するのは、ＣＰＵ１０１の判断によるものであったり、ユーザが操作部５０１からキー操作などにより要求するものであったりする。また、外部から配信される形式でもよい。ＣＰＵ１０１は、画像メモリ１０２に蓄積された画像データをＣＰＵバス１２０を介して読み出し、表示用メモリ１０７に書き込む。表示用メモリ１０７に書き込まれたデータは、グラフィックコントローラ１０８を介して表示部１１１に送られ、図５中の表示部１１１に表示される。
【００３９】
また、画像形成装置にメモリカード用スロットが備え付けられていれば、スロットを通してメモリカードからデータを取得することもできる。この場合には、表示情報取り込みキー５０４で取り込みを要求する。次に、メモリカードが挿入されると、図示しないメモリカードスロットＩ／Ｆ回路を介して、データが画像メモリ１０２に蓄積される。ＣＰＵ１０１は、画像メモリ１０２に蓄積された画像データをＣＰＵバス１２０を介して読み出し、表示用メモリ１０７に書き込む。表示用メモリ１０７に書き込まれたデータは、グラフィックコントローラ１０８を介して表示部１１１に送られ、図５中の表示部１１１に表示される。
【００４０】
また、当然ながら、対応スロットが画像形成装置に備え付けられているのであれば、メモリカードに代えて、記録媒体としてフロッピー（登録商標）ディスクやＣＤ−ＲＯＭ、ＳＤカードなどを用いることもできる。
【００４１】
＜ユーザ指定任意表示＞
図８は、コピー動作を行った場合のユーザ指定任意表示の表示状態を示す図である。画像形成装置が使用されていない状態では、表示部１１１は省電力のため消灯されている（図８（ａ））。次にユーザがコピー操作を行うために、なんらかのキーを押下すると、表示部１１１が立ち上がり、コピー操作のための画面が表示される（図８ｂ））。ユーザが、原稿をセットし、用紙サイズやコピー部数などの指定をし、スタートキー５０５を押下するとコピーが開始され、このときユーザ指定の任意表示が行われる（図８（ｃ））。
【００４２】
コピー動作が終了すると、任意表示は消え、コピーが終了した旨の表示が行われる（図８（ｄ））。
【００４３】
＜課金＞
課金する場合には、例えば以下のようにして行なう。
【００４４】
例えば外部のホスト装置から取得するデータは、いくつかのフィールドから構成されていることは公知である（例えば、特開２００１−７７９５３）。図９に示すようにその中には料金情報フィールドがある。料金情報フィールドには、データを取り出すために必要な料金を演算するための情報が書き込まれている。課金を行なう際には、ＣＰＵ１０１は情報の料金情報フィールドを参照し、外部課金装置１２１の表示部に課金額が表示し、ユーザに課金額の支払いを促す。
【００４５】
このようにネットワーク経由で情報のデータを取得する場合は、あらかじめ外部のホスト装置で料金情報フィールドに料金情報を書き込まれているが、キーボード入力やスキャン画像・記録媒体からのデータを取り出す場合は、データ容量や取り出す手段によって課金額を任意に決定するとよい。また、プリントアウトという取り出し方であった場合には、プリントアウト枚数で課金額を決めてもよい。
【００４６】
外部課金装置１２１は、画像出力サービスの対価としての料金の演算と、ユーザに対する料金の提示及び課金、ユーザの料金支払いの受け付けなどを行う装置である。外部課金装置１２１は、コインや紙幣などの現金の投入の他に、プリペイド・カードによる決済、クレジット・カードによる銀行口座からの引き落とし、デビット・カードによる銀行口座からの即時決済など、様々な料金支払い形態をサポートしていてもよい。
【００４７】
情報を取り出すとは、表示部１１１に表示されている情報を任意の手段・方法で、表示部１１１以外に移すことである。任意の手段・方法とは、例えば、モデム１１９、ネットワークＩ／Ｆ１１８、あるいは赤外線通信回路１１７を介して他の機器に転送したり、プリンタ部１１６から紙などの記録媒体として出力することが挙げられる。また、画像形成装置に記録媒体のスロットがあれば、記録媒体に直接情報のデータを書き込むことも可能である。取り出す手段が複数ある場合には、操作部１１０のキー操作などで選択できるように構成するとよい。
【００４８】
取り出す際には、操作部１１０のキー操作などで、画像形成装置に対して取り出すことを要求できる。情報の取り出しキャンセルは、例えば、表示部１１１に表示された選択画面で行なってもいいし、操作部１１０のキー操作で行なっても良い。
【００４９】
＜ジョブ再開後の表示＞
本実施例では、情報表示中にジョブを中断したときには、そのジョブを再開した後に再び同じ情報を続きから表示するようにしている。このときの処理手順を図１０のフローチャートに示す。なお、ここでいうジョブとは、例えば１０枚の原稿の原稿のコピーを１０部作成するというように所定の原稿に対して１部以上の所定の部数のコピーを作成する一連の作業をいう。
【００５０】
画像形成装置の使用中に、図５の操作部１１０上にある表示情報取り込みキー５０４を押下し、任意の方法で情報を取り込む。例えば、その任意の情報が、一定時間表示して切り替わる複数ページの静止画である場合、その全ページ数をＰｅとする（ステップＳ２１０１）。また、現在のページＰｉを１ページ目とする（ステップＳ２１０２）。表示部１１１は現在のページＰｉの表示を開始する（ステップＳ２１０３）。
【００５１】
現在のページＰｉを表示中にユーザがジョブ中断を要求（ステップＳ２１０４）したら、現在のページＰｉの表示を終了し（ステップＳ２１０５）、ジョブが再開を要求される（ステップＳ２１０７）まで表示をしない。ジョブ再開が要求される前にジョブ終了を要求されたら（ステップＳ２１１２）、画像形成装置の使用を終了する。ジョブ再開が要求されたら、中断直前に表示していた現在のページＰｉを再び表示する（ステップＳ２１０３）。
【００５２】
また、ジョブの中断もジョブの終了もなく（ステップＳ２１０４−Ｎｏ、Ｓ２１０６−Ｎｏ）、現在のページＰｉを一定時間表示している間に（ステップＳ２１０８）ユーザがジョブ中断を要求（ステップＳ２１０４）しなかったら、現在のページＰｉの表示を終了し（ステップＳ２１０９）、Ｐｉ＝Ｐｉ＋１、つまり現在のページ番号を次のページとする（ステップＳ２１１０）。
【００５３】
もし、現在のページＰｉがＰｅより大きかったら（ステップＳ２１１１）、Ｐｉ＝１にし（ステップＳ２１０２）、同様のフローを繰り返す。ここでＰｉ＝１とするのは、最終ページＰｅまで表示したので再び１ページ目から表示を開始すると言うことである。また、新たに取り込み要求があれば、取り込んでもよい。一方、現在のページＰｉが最終ページＰｅより大きくなかったら（ステップＳ２１１１）、現在のページＰｉを表示し（ステップＳ２１０３）、同様のフローを繰り返す。
【００５４】
この処理では、情報表示中にジョブを中断した場合、ジョブ再開後に同じ情報を続きから再び表示するので、例えば数分かかる動画の情報を、再開後には、最初からではなく続きから見ることが可能となり、使用中により多くの情報を、ユーザは収集し、情報提供者は提供することができる。
【００５５】
<ジョブ中止後の表示＞
本実施例では、情報表示中にジョブを中止したときには、その中止したジョブの次のジョブ開始後に再び同じ情報を最初から表示するようにしている。このときの処理手順を図１１のフローチャートに示す。
【００５６】
画像形成装置使用中に、図５の操作部１１０上にある表示情報取り込みキー５０４を押下し、任意の方法で情報を取り込む。例えば、その任意の情報が、一定時間表示して切り替わる複数ページの静止画である場合、その全ページ数をＰｅとする（ステップＳ２２０１）。また、現在のページＰｉを１ページ目とする（ステップＳ２２０２）。表示部１１１は現在のページＰｉを表示する（ステップＳ２２０３）。現在のページＰｉを表示中にユーザがジョブ中止を要求（ステップＳ２２０４）したら、現在のページＰｉの表示を終了し（ステップＳ２２０５）、次のジョブ開始が要求（ステップＳ２２０７）されるまで表示しない。
【００５７】
一方、ジョブ開始が要求されたら（ステップＳ２２０７）、再び現在のページＰｉ＝１にして（ステップＳ２２０２）、現在のページＰｉの表示を開始する（２２０３）。
【００５８】
また、現在のページＰｉを一定時間表示している間に（ステップＳ２２０６）ユーザがジョブ中止を要求（ステップＳ２２０４）しなかったら、現在のページＰｉの表示を終了し（ステップＳ２２０８）、Ｐｉ＝Ｐｉ＋１  つまり現在のページ番号を次のページとする（ステップＳ２２０９）。
【００５９】
もし、現在のページＰｉが最後のページ番号Ｐｅより大きかったら（ステップＳ２２１０）、Ｐｉ＝１にし（ステップＳ２１０２）、同様のフローを繰り返す。ここでＰｉ＝１とするのは、最終ページＰｅまで表示したので再び１ページ目から表示を開始すると言うことである。また、新たに取り込み要求があれば、取り込んでもよい。一方、現在のページＰｉが最後のページ番号Ｐｅより大きくなかったら（ステップＳ２２１０）、現在のページＰｉを表示し（ステップＳ２２０３）、同様のフローを繰り返す。
【００６０】
この処理では、情報表示中にジョブを中止した場合、次のジョブ開始後に同じ情報を最初から再び表示するので、例えば次のジョブのユーザが、数分かかる動画の情報を途中からではなく、最初から見ることができる。これにより、ユーザは誤解を招くことなく情報を収集することが可能となり、情報提供者は誤解を招くことなく情報を提供することができる。
【００６１】
＜有料での情報の取り出し＞
本実施例では、情報を課金手段によって有料で取り出すことができるようにしている。
【００６２】
このときの処理手順を図１２のフローチャートに示す。
【００６３】
この処理では、情報が表示されており（ステップＳ２３０１）、その情報を取り出す（ステップＳ２３０２）場合、表示部１１１に課金額が表示される（ステップＳ２３０３）。そして、ユーザが課金額を支払った場合（ステップＳ２３０４）、任意の手段で情報を取り出す（ステップＳ２３０６）ことが許可され、情報を取り出すことができる。また、課金額を支払わなかった場合（ステップＳ２３０４）、ユーザが情報の取り出しに対しキャンセルを要求しなければ（ステップＳ２３０５）、課金額を表示し続け、キャンセルを要求すれば（ステップＳ２３０５）、情報を取り出すことなくこの処理を終了する。
【００６４】
この処理では、ユーザは画像形成装置の表示部１１１から離れた場所でも同じ情報を見ることが可能となり、この情報は課金手段によりユーザの指示により表示された情報を有料で取り出すことができるので、ユーザの利便性を確保した上で、情報提供者は情報に対する対価を受け取ることができる。
【００６５】
＜無料での情報の取り出し＞
本実施例では、情報を課金手段によって有料で取り出すことができるようにしているが、その際、ユーザが画像形成装置を使用中であれば、無料で取り出すことができるようにしている。このときの処理手順を図１３のフローチャートに示す。
【００６６】
この処理では、情報が表示されており（ステップＳ２４０１）、その情報を取り出す場合（ステップＳ２４０２）、ユーザが画像形成装置を使用中（ステップＳ２４０３）であれば、任意の手段で情報を取り出す（ステップＳ２４０７）ことが許可され、その情報を取り出すことができる。しかし、ユーザが画像形成装置を使用中（ステップＳ２４０３）でなければ、課金額が表示される（ステップＳ２４０４）。
【００６７】
そして、ユーザが課金額を支払った場合（ステップＳ２４０５）、任意の手段で情報を取り出す（ステップＳ２４０７）ことが許可され、表示された情報を取り出すことができる。また、課金額を支払わなかった場合（ステップＳ２４０５）、ユーザが情報の取り出しに対してキャンセルを要求しなければ（ステップＳ２４０６）課金額を表示し続け、キャンセルを要求すれば（ステップＳ２３０５）情報を取り出さずに終了する。
【００６８】
この処理では、使用中は無料で情報を取り出すことができ、画像形成装置を利用する上で付加価値を提供することが可能となり、ユーザの画像形成装置利用の促進を図ることができる。
【００６９】
＜２回目以降の有料での情報の取り出し＞
本実施例では、図１３のフローチャートに示すようにユーザが画像形成装置を使用中であれば、無料で取り出すことができるようにしているが２回目以降は制限をしている。このときの処理手順を図１４のフローチャートに示す。
【００７０】
この処理では、情報が表示されており（ステップＳ２５０１）、その情報を取り出す場合（ステップＳ２５０２）、ユーザが取り出すのが１回目（ステップＳ２５０３）であれば、任意の手段で情報を取り出す（ステップＳ２５０７）ことが許可され、無料で取り出すことができる。
【００７１】
ユーザが取り出すのが１回目（ステップＳ２５０３）でなければ、表示部１１１またはコインラックの表示部に課金額が表示される（ステップＳ２５０４）。ユーザが課金額を支払った場合（ステップＳ２５０５）、任意の手段で情報を取り出す（ステップＳ２５０７）ことが許可され、情報を取り出すことができる。また、課金額を支払わなかった場合（ステップＳ２５０５）、ユーザが情報の取り出しに対してキャンセルを要求しなければ（ステップＳ２５０６）、課金額を表示しつづけ、キャンセルを要求すれば（ステップＳ２５０５）情報を取り出さずに終了する。
【００７２】
なお、取り出した回数は、例えば図示しないメモリに書き込んでおき、取り出す要求を受けたときにＣＰＵ１０１がメモリを参照し、取り出されるのが１回目かどうかの判定をする。メモリ内容がクリアされるタイミングは、例えば表示情報が変更されるときである。
【００７３】
この処理では、情報を一度取り出したら、それ以降、同じ情報を取り出すのは有料となり、情報提供者は同じ情報を無料で大量に取り出されるのを防ぐことができる。また、表示はされているままで情報を取り出さない限り無料なので、ユーザは無料で見ることができ、取り出したい場合には、代金を支払えばよい。
【００７４】
＜同一情報の不表示＞
本実施例では、情報を一度取り出した後、任意の手段で同じ情報を再び取り込んだ場合に限り、その情報を表示するようにしている。このときの処理手順を図１５のフローチャートに示す。
【００７５】
この処理では、任意の情報を取り込んで（ステップＳ２６０１）。表示部１１１上に情報の表示を開始（ステップＳ２６０２）する。その情報を表示中に、ユーザが情報を取り出す要求をする（ステップＳ２６０３）と、任意の手段で情報を取り出す（ステップＳ２６０４）ことが許可され、情報を取り出すことができる。情報を取り出したら、表示部１１１は表示を終了する（ステップＳ２６０５）。
【００７６】
取り出した情報を任意の手段で再び取り込む（ステップＳ２６０６→Ｓ２６０１）ならば、表示部１１１にその情報を表示する。しかし、任意の手段で取り込まない限り、取り出した情報は表示しない。また、取り出さないのならば（ステップＳ２６０３）、表示はされたままでもよい。
【００７７】
この処理では、情報を一度取り出したら、任意の手段で同じ情報を再び取り込まない限り表示しないので、情報提供者は一旦取り出された情報は表示も行わないようにして提供に制限を加えることができる。これにより、ユーザ１人にのみ情報を付加して、付加価値が高めた上で、画像形成装置を利用してもらうことができる。
【００７８】
＜情報の取り出しの可不可＞
本実施例では、情報に応じて取り出すことができるものとできないものとが設定され、ユーザの権限に応じて情報取り出しの可不可を設定している。このときの処理手順を図１６のフローチャートに示す。
【００７９】
この処理では、情報が表示されており（ステップＳ２７０１）、取り出せる情報ならば（ステップＳ２７０２）、すなわち、ユーザにその情報を取り出せる権限が与えられているのならば、ユーザは情報を取り出す要求を画像形成装置に対して行うことができる。その情報を表示中に情報を取り出す要求をする（ステップＳ２７０３）と、情報を任意の手段で取り出す（ステップＳ２７０４）ことが許可され、その情報を取り出すことができる。取り出せない情報ならば（２７０２）、すなわち、その情報を取り出す権限が与えられていないのであれば、情報を取り出す要求は行なえず、処理は終了する。
【００８０】
なお、ユーザに取り出す権限を与えない情報であっても、ユーザが画像形成装置に対して情報を取り出すことを要求できてもよい。つまり、取り出せる情報かどうかの判定（ステップＳ２７０２）と、ユーザが情報を取り出すかどうかの判定（ステップＳ２７０３）は逆でもよい。その場合は、取り出す要求を受けた画像形成装置が表示部１１１に、その情報が取り出せない情報である旨を伝えるメッセージを表示し、その旨ユーザに知らせることが必要である。
【００８１】
また、ユーザが取り出せる情報かどうかは、例えば、その情報のデータ内にユーザ権限フィールドがあって、そこにユーザが取り出せるかどうかを記述しておけば良く、ユーザ権限は情報提供者などが決定すれば良い。
【００８２】
この処理では、情報に応じてユーザが取り出すことができるものとできないものとを設定しているので、情報提供者がユーザに対し、情報の利用権限を設定することができる。
【図面の簡単な説明】
【００８３】
【図１】本発明の実施例に係る画像形成装置の制御部を示すブロック図である。
【図２】画像形成装置の一部であるスキャナ部の構成を示した図である。
【図３】図２におけるスキャナ画像処理部の内部構成を示すブロック図である。
【図４】画像形成装置の一部を構成するプリンタ部の概略構成を示す図である。
【図５】操作部の詳細を示す図である。
【図６】図５の表示部に任意の文字列の表示がされた例を示す図である。
【図７】図５の表示部に任意の画像イメージが表示された例を示す図である。
【図８】コピー動作を行った場合のユーザ指定任意表示の表示状態を示す図である。
【図９】課金情報を記憶するメモリの料金情報フィールドの概念を示す図である。
【図１０】情報表示中にジョブを中断したときに、そのジョブを再開した後に再び同じ情報を続きから表示する処理手順を示すフローチャートである。
【図１１】情報表示中にジョブを中止したときに、その中止したジョブの次のジョブ開始後に再び同じ情報を最初から表示する処理手順を示すフローチャートである。
【図１２】情報を課金手段によって有料で取り出す際の処理手順を示すフローチャートである。
【図１３】ユーザが画像形成装置を使用中に無料で情報を取り出す際の処理手順を示すフローチャートである。
【図１４】ユーザが情報を２回以上取り出す際の処理手順を示すフローチャートである。
【図１５】情報を一度取り出した後には、任意の手段で同じ情報を再び取り込まない限り表示しないようにした処理手順を示すフローチャートである。
【図１６】ユーザの権限に応じて情報取り出しの可不可を設定して情報の取り出しに制限をかけたときの処理手順を示すフローチャートである。
【符号の説明】
【００８４】
１０１  ＣＰＵ
１０２  画像メモリ
１０７  表示用メモリ
１１０  操作部
１１１  表示部
１１２  キー
１１４  スキャナ部
１１６  プリンタ部
【図１】
2005136939.tif 000003
【図２】
2005136939.tif 000004
【図３】
2005136939.tif 000005
【図４】
2005136939.tif 000006
【図５】
2005136939.tif 000007
【図６】
2005136939.tif 000008
【図７】
2005136939.tif 000009
【図８】
2005136939.tif 000010
【図９】
2005136939.tif 000011
【図１０】
2005136939.tif 000012
【図１１】
2005136939.tif 000013
【図１２】
2005136939.tif 000014
【図１３】
2005136939.tif 000015
【図１４】
2005136939.tif 000016
【図１５】
2005136939.tif 000017
【図１６】
2005136939.tif 000018